(57)【要約】本発明は、座便器に取り付けられて肛門洗浄などの機能を行い、腸または膣内部に対する内部洗浄が可能である座便器用ビデに関する。一側にコントロール部Ｃを有して座便器の後方側に設置される本体１０と、洗浄部として作用する前記本体１０の中央突出部１１の下側に設置されて水を噴射するメインビデ１５と、腸内部または膣内部のうち１つを洗浄するために前記本体１０に設置される少なくとも１つ以上の内部ビデ（３０、４０）と、前記メインビデ１５または内部ビデ（３０、４０）を通じて吐出される水を浄化する浄水部２０と、前記コントロール部Ｃに設置されて前記メインビデ１５あるいは内部ビデ（３０、４０）に水を選択的に供給する出水調節部１４とを含む。【選択図】図１
2009500543.tif 000002
【特許請求の範囲】
【請求項１】
一側にコントロール部Ｃを有して座便器の後方側に設置される本体１０と、洗浄部として作用する前記本体１０の中央突出部１１の下側に設置されて水を噴射するメインビデ１５と、腸内部または膣内部のうち１つを洗浄するために前記本体１０に設置される少なくとも１つ以上の内部ビデ（３０、４０）と、前記メインビデ１５または内部ビデ（３０、４０）を通じて吐出される水を浄化する浄水部２０と、前記コントロール部Ｃに設置されて前記メインビデ１５あるいは内部ビデ（３０、４０）に水を選択的に供給する出水調節部１４と、前記内部ビデ（３０、４０）の位置を必要に応じて調節する位置調節部材（５０、６０）とを備えることを特徴とする座便器用ビデ。
【請求項２】
前記浄水部２０は、前記コントロール部Ｃの温度調節部１２と水圧調節部１３との間に位置し、前記温度調節部１２から流入する水を１次フィルタリングするフィルター２１ａ、及び前記フィルター２１ａを覆うように設置されてフィルタリングした水の汚染物質を吸着する活性炭フィルター２１ｂを有するフィルター部２１と、前記フィルター部２１の上側に設置され、殺菌機２２’で殺菌した後、前記水圧調節部１３に水を流出させる殺菌部２２とで構成されることを特徴とする請求項１に記載の座便器用ビデ。
【請求項３】
前記出水調節部１４は、内部が複数の区域に分けられ、各区域ごとに別途の出水口１４ｊを有する本体１４ａと、前記本体１４ａの上側でパッキング１４ｅを介在して前記本体１４ａに結合され、各区域に対応する孔が複数個形成された分配板１４ｄと、前記分配板１４ｄの上側に位置して回転され、前記分配板１４ｄの孔に連通される孔が形成された回転板１４ｇと、入水口を有して前記本体１４ａにねじ結合されるカバー１４ｂと、前記カバー１４ｂの上端に形成された孔を貫通するように設置され、上端は操作ノブ１４ｃに結合され、下端は前記回転板１４ｇに結合される連結部材１４ｆと、前記連結部材１４ｆの下側に嵌入されて前記回転板１４ｇを前記分配板１４ｄに密着させるスプリング１４ｈと、前記連結部材１４ｆに設置されて前記スプリング１４ｈを支持するスプリングシート１４ｉとを含むことを特徴とする請求項１に記載の座便器用ビデ。
【請求項４】
前記本体１０は、前記出水調節部１４の出水口１４ｊに連通される出水管１６を複数個有し、前記出水口１４ｊ及び出水管１６の数は実際のビデ数より多く形成され、使用されない出水管１６は出水管キャップ１７で閉めることを特徴とする請求項１または請求項３に記載の座便器用ビデ。
【請求項５】
内部ビデ（３０、４０）の第１例は、前記本体１０から一定距離離隔されるように位置し、前記位置調節部材（５０、６０）を通じて水の供給を受けるビデ本体（３１、４１）と、前記ビデ本体（３１、４１）から引き出されて腸または膣内部に挿入される抗菌シリコンホース（３２、４２）と、前記抗菌シリコンホース（３２、４２）の外周に結合されたシーリング部材（３９、４９）を介在して前記ビデ本体（３１、４１）の端に結合されて抗菌シリコンホース（３２、４２）を支持する出水口キャップ（３３、４３）と、前記抗菌シリコンホース（３２、４２）の端に結合され、前記出水口キャップ（３３、４３）の外部に抗菌シリコンホース（３２、４２）が脱離しないようにする固定部材（３４、４４）と、前記抗菌シリコンホース（３２、４２）の外側で前記固定部材（３４、４４）に結合されて固定部材（３４、４４）を支持する固定リング（３７、４７）とを含むことを特徴とする請求項１に記載の座便器用ビデ。
【請求項６】
前記内部ビデ（３０、４０）は、前記抗菌シリコンホース（３２、４２）の外側に挿入され、前記固定部材（３４、４４）により支持されて抗菌シリコンホース（３２、４２）を初期位置に復帰させるスプリング（３６、４６）をさらに含むことを特徴とする請求項５に記載の座便器用ビデ。
【請求項７】
内部ビデは、振動型の内部ビデ３０’であって、前記本体１０から一定距離離隔されるように位置し、前記位置調節部材５０を通じて水の供給を受けるビデ本体３１’と、前記ビデ本体３１’の下側にねじ結合され、振動器キャップ３７’内部に振動器３７”を有する振動器キャップ３７’と、前記振動器３７”の下部に設置されて振動器３７”の振動を吸収するスプリング３８”と、前記ビデ本体３１’から引き出された状態で設置されて腸または膣内部に挿入され、前記振動器３７”の振動を利用して水に波動を発生させた後、水を噴射する振動挿入装置３８と、前記振動挿入装置３８の外側から挿入され、前記ビデ本体３１’に結合されて振動挿入装置３８を支持する出水口キャップ３３’と、前記振動器３７”の上端に設置されて前記振動挿入装置３８に振動を伝達する連結部材３９’とを含むことを特徴とする請求項１に記載の座便器用ビデ。
【請求項８】
前記振動挿入装置３８は、前記ビデ本体３２’から引き出された状態で設置され、端部に突出部３２”を有する抗菌シリコンホース３２’と、前記抗菌シリコンホース３２’内部に位置し、端部が前記連結部材３９’に結合されて水に波動を発生させる振動バー３８’と、前記ビデ本体３１’に結合され、抗菌シリコンホース３２’の突出部３２”を利用して前記抗菌シリコンホース３２’がビデ本体３１’内部に進入しないようにする支持部材３４’とを含むことを特徴とする請求項７に記載の座便器用ビデ。
【請求項９】
前記位置調節部材（５０、６０）は、抗菌シリコンホース（３２、４２）を有するビデ本体（３１、４１）が回動可能に結合され、内部に導水管（５２、６２）を有する支持部材（５１、６１）と、前記本体１０に回転可能に設置されるシリンダ（５３、６３）と、前記シリンダ（５３、６３）の内部に位置して水圧により前後移動し、前記支持部材（５１、６１）に結合されるピストン部材（５４、６５）と、前記ピストン部材（５４、６５）に挿入されて水圧が弱くなると、前記ピストン部材（５４、６５）を初期位置に復帰させるスプリング部材（５５、６６）と、前記シリンダ（５３、６３）の後方に結合されて水流入口を有するシリンダキャップ（５６、６７）とを含むことを特徴とする請求項１に記載の座便器用ビデ。
【請求項１０】
前記内部ビデ（３０、４０）を前記本体１０の下部に隠したり外部に露出させることができる回転手段（８０、９０）を含むことを特徴とする請求項１に記載の座便器用ビデ。
【請求項１１】
前記回転手段（８０、９０）は、使用者がハンドル（８１、９１）を利用して直接内部ビデ（３０、４０）の位置を調節する手動方式と、水の供給によって内部ビデ（３０、４０）の位置を自動的に調節できる自動方式、及び前記手動方式と自動方式を混用した混用方式のうちの１つの方式が使用されることを特徴とする請求項１０に記載の座便器用ビデ。
【請求項１２】
前記回転手段（８０、９０）は、抗菌シリコンホースを有する内部ビデ（３０、４０）に水を供給し、内部ビデ（３０、４０）にヒンジ固定される導水管路（８３、９３）と、前記導水管路（８３、９３）に連通され、ハンドル（８１、９１）に連結されて前後移動する分配管（８２、９２）と、前記本体１０に固定されたシリンダ（８４、９４）の内部に位置し、導水パイプ（８６、９６）を通じて供給された分配管（８２、９２）の水により前後移動しながら分配管（８２、９２）を移動させるピストン部材（８５、９５）とを含むことを特徴とする請求項１０に記載の座便器用ビデ。
【請求項１３】
一側にコントロール部Ｃを有し、座便器の後方側に設置されてコントロール部Ｃと対向する位置で座便器の前方にある程度突出した突出部１８を有する本体１０と、
前記本体１０の突出部１８の端部に設置されて突出部１８を座便器に固定する固定部材１９と、
洗浄部として作用する前記本体１０の中央突出部１１の下側に設置されて水を噴射するメインビデ１５と、
腸内部または膣内部のうち１つを洗浄することができる少なくとも１つ以上の内部ビデ（１００、１０５）と、
前記本体１０の突出部１８に設置されて前記内部ビデ（１００、１０５）の位置を調節し、前記内部ビデ（１００、１０５）に水を供給する位置調節部材１１０とを含むことを特徴とする座便器用ビデ。
【請求項１４】
前記位置調節部材１１０は、一端が前記突出部１８の上側に突出し、他端は前記内部ビデ１００に連結され、内部ビデ１００と連通される導水管路１１７がハンドル１１１内部に形成される複数回折曲した形状のハンドル１１１と、前記本体１０の突出部１８に座便器の前後方向に形成されるガイド溝１１２内部で前後移動して前記ハンドル１１１の移動をガイドするガイドブロック１１４とを含むことを特徴とする請求項１３に記載の座便器用ビデ。
【請求項１５】
前記ガイドブロック１１４は、前記内部ビデ（１００、１０５）に水が供給されることによって動作するシリンダ部材により前記ガイド溝１１２内部で前後移動することを特徴とする請求項１４に記載の座便器用ビデ。
【請求項１６】
一側にコントロール部Ｃを有して座便器の後方側に設置される本体１０と、
洗浄部として作用する前記本体１０の中央突出部１１の下側に設置されて水を噴射するメインビデ１５と、
腸内部または膣内部のうちの１つを洗浄することができる少なくとも１つの内部ビデ（１００、１０５）と、
前記本体１０に沿って左右移動し、ハンドル部１２０内部に導水路が形成されたハンドル部１２０と、
前記ハンドル部１２０と前記内部ビデ（１００，１０５）を連通する送水管１２５と、
前記本体１０に設置されて前記ハンドル部１２０の移動をガイドするガイド部材とを含むことを特徴とする座便器用ビデ。
【請求項１７】
前記ガイド部材は、前記ガイドキャップ１２４が結合されて前記ハンドル部１２０の直線移動部１２１の直線移動をガイドするガイドブロック１２６と、
前記ガイドブロック１２６及び前記ハンドル部１２０の回動部１２２が内部に位置するように前記本体１０に設置され、回動部１２２が一定範囲内でのみ回動するように制限する第１ストッパー１２７と、
前記第１ストッパー１２７に比べて本体の中央側に偏る位置に設置され、前記第１ストッパー１２７よりさらに大きく形成される第２ストッパー１２８とで構成されることを特徴とする請求項１６に記載の座便器用ビデ。
【請求項１８】
前記内部ビデは、前記メインビデ１５の側面に位置する第１ビデ１００と、これと対向するように位置する第２ビデ１０５とで構成され、第１ビデ１００と第２ビデ１０５に選択的に水が供給されるようにし、前記第１ビデ１００または第２ビデ１０５に水が供給されるとき、前記ハンドル部１２０をそれぞれ前後移動させるシリンダ部材をさらに含むことを特徴とする請求項１６に記載の座便器用ビデ。
【請求項１９】
一側にコントロール部Ｃを有し、座便器の後方側に設置されて座便器の側部に沿って前方にある程度突出する２個の突出部１８を有する本体１０と、
前記本体１０の突出部１８の端部に設置されて突出部１８を座便器に固定する固定部材１９と、洗浄部として作用する前記本体１０の中央突出部１１の下側に設置されて水を噴射するメインビデ１５と、
前記本体１０に取り付けられて腸内部または膣内部のうちの１つを洗浄することができる少なくとも１つの内部ビデ（１００、１０５）と、
前記内部ビデ（１００、１０５）の位置及び取付け角度を調節する位置調節部材１３０とを含むことを特徴とする座便器用ビデ。
【請求項２０】
前記位置調節部材１３０は、座便器を横切るように前記本体１０の突出部１８に設置されてハンドル１３１内部に導水路が形成されたハンドル１３１と、前記突出部１８にそれぞれ形成されたガイド溝１３２に沿って前後移動し、前記ハンドル１３１が貫通する１対のガイドブロック１３３とを含むことを特徴とする請求項１９に記載の座便器用ビデ。
【請求項２１】
前記位置調節部材１３０は、水供給の有無によって前記ガイドブロック１３３を前後移動させる１対のシリンダ部材を含み、
前記シリンダ部材は、前記本体１０の突出部１８の後方に設置されるシリンダ１３４と、前記シリンダ１３４の内部に位置し、先端が前記ガイドブロック１３３に結合されるピストン１３５と、前記ピストン１３５に外挿されて水の供給が遮断されると、前記ピストン１３５を後退させて前記ガイドブロック１３３を初期位置に復帰させるスプリング１３６と、前記シリンダ１３４の後方側に結合され、入水口及び出水口を有して前記シリンダ１３４の後方側にねじ結合されるシリンダキャップ１３７とを含むことを特徴とする請求項１９または請求項２０に記載の座便器用ビデ。
【請求項２２】
前記シリンダキャップ１３７は、導水管１３８で互いに連結され、前記導水管１３８が連結されていない入水口及び出水口には逆水防止部１４０が形成され、前記逆水防止部１４０は、前記シリンダキャップ１３７の入水口及び出水口にねじ結合され、支持部材１４１の中央に孔が形成される支持部材１４１と、前記支持部材１４１に形成された孔を塞いで水の流れを遮断し、外径が前記入水口及び出水口より小さく形成される遮断板１４２と、前記遮断板１４２に形成され、前記支持部材１４１に形成されたガイドホール１４１に挿入されて前記支持部材１４１から脱離しないように端部が折曲形状を有するガイドバー１４４と、前記支持部材１４１と前記遮断板１４２との間に位置するスプリング１４３とを含むことを特徴とする請求項２１に記載の座便器用ビデ。
【請求項２３】
前記内部ビデは、座便器の中心に対して相互対称になるように一定距離離隔されて設置される第１ビデ１００と第２ビデ１０５とで構成され、前記第１ビデ１００と第２ビデ１０５との間にはメインビデ１０６が設置され、前記ハンドル１３１には導水路が３重に形成されており、それぞれメインビデ１０６と第１ビデ１００及び第２ビデ１０５に連通されることを特徴とする請求項２１に記載の座便器用ビデ。
【請求項２４】
座便器の前方側に位置して固定部材１０７により固定され、連結ホース１０８を通じて供給された水を噴射する前方ビデ１０６’をさらに含み、前記メインビデ１０６及び前記前方ビデ１０６’は、水が噴射されるノズル１０６ａと、内側にガイド溝を有するシリンダ１０６ｂと、前記ノズル１０６ａに連通されるように結合され、前記シリンダ１０６ｂの内部で前後移動し、前記ガイド溝に挿入される突出部１０６ｆを有するピストン１０６ｃと、前記ピストン１０６ｃの外周に結合されて前記ピストン１０６ｃを初期位置に復帰させるスプリング１０６ｄと、入水口を有して前記シリンダ１０６ｂに結合されるシリンダキャップ１０６ｅとを含むことを特徴とする請求項２３に記載の座便器用ビデ。
【請求項２５】
座便器の後方側に設置される本体１０と、
腸または膣内部のうち１つを洗浄できるように前記本体１０に設置される少なくとも１つ以上の内部ビデ（３０、４０）を含む座便器用ビデにおいて、
前記内部ビデ（３０、４０）は、前記本体１０から水の供給を受けるビデ本体（３１、４１）と、ビデ本体（３１，４１）から引き出されて腸または膣内部に挿入され、先端のノズルを通じて内部洗浄を行う抗菌シリコンホース（３２、４２）を含むことを特徴とする座便器用ビデ。
【発明の詳細な説明】
【技術分野】
【０００１】
本発明は座便器に取り付けられて肛門洗浄などの機能を行う座便器用ビデに関し、特に、内部ビデを使用して腸または膣内部に対する内部洗浄を行うことができるようにした座便器用ビデに関する。
【背景技術】
【０００２】
一般的に、座便器用ビデは、座便器の後方側に取り付けられて肛門洗浄またはビデ機能を行う装置であり、最近は、清潔を重要視する女性はもちろん男性使用者も増加しつつある。
【０００３】
しかし、既存の座便器用ビデは、座便器の後方から水を強く噴射したり、ゆっくり噴出する構造となっており、外部に露出している部分のみ洗浄を行い、実際に清潔が要求される腸または膣内部には水が供給されないので該部分の内部洗浄が困難であるという問題点があった。
【発明の開示】
【発明が解決しようとする課題】
【０００４】
そこで、本発明は上記従来の問題点に鑑みてなされたものであって、本発明の目的は、腸または膣内部に抗菌シリコンホースを挿入して内部洗浄が可能であるとともに、浄水により綺麗な水で内部洗浄を行うことができるようにした座便器用ビデを提供することである。
【０００５】
また、本発明は、腸または膣内部の洗浄のための内部ビデの位置及び取付け角度の調節を可能にすることで、使用者の便利性を増大させた座便器用ビデを提供することにその目的がある。
【課題を解決するための手段】
【０００６】
上記目的を達成するためになされた本発明による座便器用ビデによれば、一側にコントロール部を有して座便器の後方側に設置される本体と、洗浄部として作用する前記本体の中央突出部の下側に設置されて水を噴射するメインビデと、腸内部または膣内部のうち１つを洗浄するために前記本体に設置される少なくとも１つ以上の内部ビデと、前記メインビデまたは内部ビデを通じて吐出される水を浄化する浄水部と、前記コントロール部に設置されて前記メインビデあるいは内部ビデに水を選択的に供給する出水調節部とを含む。
また、本発明の座便器用ビデによれば、前記浄水部は、前記コントロール部の温度調節部と水圧調節部との間に位置することが好ましく、前記温度調節部から流入した水を１次フィルタリングするフィルター、及び前記フィルターを取り囲むように設置されてフィルタリングされた水の汚染物質を吸着する活性炭フィルターからなるフィルター部と、前記フィルター部の上側に設置され、殺菌装置により殺菌した後、前記水圧調節部に水を流出させる殺菌部とで構成されている。
【０００７】
また、本発明の座便器用ビデによれば、前記出水調節部は、内部が複数の区域に区分され、各区域に別途の出水口を有する本体と、前記本体の上側にパッキングを介在して前記本体に結合され、各区域に対応する複数個の孔が形成されている分配板と、前記分配板の上側に位置して回転し、前記分配板の孔に連通される孔が形成されている回転板と、入水口を有して前記本体にねじ結合されるカバーと、前記カバーの上端に形成された孔を貫通するように設置され、上端は操作ノブに結合され、下端は前記回転板に結合される連結装置と、前記連結装置の下側に嵌められて前記回転板を前記分配板に密着させるスプリングと、前記連結装置に設置されて前記スプリングを支持するスプリングシートを含む。
【０００８】
また、本発明の座便器用ビデによれば、前記本体は、前記出水調節部の出水口に連通される出水管を複数個有し、前記出水口及び出水管の数は実際のビデ数より多く形成され、使用されない出水管は出水管キャップにより閉められている。
【０００９】
また、本発明の座便器用ビデによれば、前記内部ビデは必要に応じて該位置を調節することができるように位置調節部材を備える。
【００１０】
前記位置調節部材は、前記内部ビデを前記本体の下部に隠したり、外部に露出することができるように前記内部ビデを前後移動可能にし、前記内部ビデは、前記位置調節部材の先端に回動可能に設置されることが好ましい。
【００１１】
また、本発明の座便器用ビデによれば、前記内部ビデは、前記本体から一定の距離離隔されるように位置し、前記位置調節部材を通じて水の供給を受けるビデ本体と、前記ビデ本体から引き出されて腸または膣内部に挿入される抗菌シリコンホースと、前記抗菌シリコンホースの外周に結合されたシーリング部材を介在して前記ビデ本体の端に結合され、抗菌シリコンホースを支持する出水口キャップと、前記抗菌シリコンホースの端に結合されて前記出水口キャップの外部に抗菌シリコンホースが脱離しないようにする固定部材と、前記抗菌シリコンホースの外側で前記固定部材に結合されて固定部材を支持する固定リングとを含む。
【００１２】
ここで、前記内部ビデは、前記抗菌シリコンホースの外側に挿入され、前記固定部材により支持されて抗菌シリコンホースを初期位置に復帰させるスプリングや、前記ビデ本体の先端に結合されて前記抗菌シリコンホースが外部に露出しないようにするビデキャップをさらに備えてもよい。
【００１３】
また、本発明の座便器用ビデによれば、前記内部ビデは、前記本体から一定距離離隔されるように位置し、前記位置調節部材を通じて水の供給を受けるビデ本体と、前記本体の下側にねじ結合され、内部に振動器を有する振動器キャップと、前記振動器の下部に設置されて振動器の振動を吸収するスプリングと、前記ビデ本体から引き出された状態で設置されて腸または膣内部に挿入され、前記振動器の振動を利用して水に波動を発生させた後、水を噴射する振動挿入装置と、前記振動挿入装置の外側から挿入され、前記本体に結合されて振動挿入装置を支持する出水口キャップと、前記振動器の上端に設置され、前記振動挿入装置により振動を伝達する連結部材とを含む。
【００１４】
前記振動挿入装置は、前記ビデ本体から引き出された状態で設置され、端部分に突出部を有する抗菌シリコンホースと、前記抗菌シリコンホースの内部に位置し、端部が前記連結部材に結合されて水に波動を発生させる振動バーと、前記ビデ本体に結合され、抗菌シリコンホースの突出部を利用して前記抗菌シリコンホースがビデ本体内部に進入しないようにする支持部材とを含む。
【００１５】
ここで、前記振動挿入装置は、前記ビデ本体から着脱可能に形成され、前記振動挿入装置が脱離したとき、前記ビデ本体にビデキャップが結合される。
また、本発明による座便器用ビデによれば、前記内部ビデは前記本体から一定距離離隔される位置に１個が設置され、前記本体に設置された位置調節部材は、前記内部ビデに連結されて内部ビデを前後に移動させ、一定の範囲内で回転可能にすると同時に、前記内部ビデに水が供給されるようにし、前記内部ビデは、前記位置調節部材に対して所定の範囲内で回動可能に結合されることが好ましい。
【００１６】
また、本発明の座便器用ビデによれば、前記内部ビデは、抗菌シリコンホースが腸または膣のうち１つの内部に挿入される第１ビデと、抗菌シリコンホースが腸または膣のうち他の１つの内部に挿入される第２ビデとに分けられ、前記第１ビデの位置調節のための第１位置調節部材と、前記第２ビデの位置調節のための第２位置調節部材をそれぞれ備えている。
【００１７】
前記第１位置調節部材は、抗菌シリコンホースを有するビデ本体が回動可能に結合され、内部に導水管を有する支持部材と、前記本体に回転可能に設置されるシリンダと、前記シリンダの内部に位置して水圧により前後移動し、前記支持部材に結合されるピストン部材と、前記ピストン部材に挿入されて水圧が弱くなると前記ピストン部材を初期位置に復帰させるスプリング部材と、前記シリンダの後方に結合されて水流入口を有するシリンダキャップとを含む。
【００１８】
前記第２位置調節部材は、前記第２ビデが第１ビデに比べて前方に位置するように第１位置調節部材に比べて多段構造を有し、抗菌シリコンホースを有するビデ本体が回動可能に結合され、内部に導水管を有する支持部材と、前記本体に回転可能に設置されるシリンダと、前記シリンダの内部に位置して水圧により前後移動するピストンシリンダと、前記ピストンシリンダの内部に位置して水圧により前後移動し、前記支持部材に結合されるピストン部材と、前記ピストンシリンダ及びピストン部材にそれぞれ挿入されて、水圧が弱くなると前記ピストンシリンダ及びピストン部材を初期位置に復帰させるスプリング部材と、前記シリンダの後方に結合されて水流入口を有するシリンダキャップとを含む。
【００１９】
また、本発明の座便器用ビデによれば、前記内部ビデを前記本体の下部に隠したり、外部に露出させることができる回転手段を有し、前記回転手段は、使用者がハンドルを利用して直接内部ビデの位置を調節する手動方式と、水の供給によって内部ビデの位置が自動的に調節される自動方式、及び前記手動方式と自動方式とを混用した混用方式のうちの１つの方式を使用することが好ましい。
【００２０】
また、本発明の座便器用ビデによれば、前記内部ビデは、抗菌シリコンホースが腸または膣内部のうちの１つに挿入される第１ビデと、抗菌シリコンホースが腸または膣内部のまた他の１つに挿入される第２ビデとに分けられ、前記第１ビデを回転させる第２回転手段と、前記第２ビデを回転させる第１回転手段をそれぞれ備える。
【００２１】
前記第１回転手段は、抗菌シリコンホースを有する第２ビデに水を供給し、第２ビデにヒンジ固定される導水管路と、前記導水管路に連通されハンドルに連結されて前後移動する分配管と、前記本体に固定されたシリンダの内部に位置し、導水パイプを介して供給された分配管の水により前後移動しながら分配管を移動させるピストン部材とを含む。
【００２２】
前記第２回転手段は、抗菌シリコンホースを有する第１ビデに水を供給し、第１ビデにヒンジ固定される導水管路と、水流入口を有して前記導水管路に結合される分配管と、シリンダの内部で前後移動し、前記分配管に連通されたピストンキャップが結合されるピストン部材と、前記シリンダとハンドルを連結するロッドとを含む。
【００２３】
ここで、前記ピストン部材の外周にはスプリングが挿入されて水が供給されない場合は、初期位置に復帰させる。
【００２４】
本発明の座便器用ビデによれば、一側にコントロール部を有して座便器の後方側に設置され、コントロール部と対向する位置で座便器の前方にある程度突出した突出部を有する本体と、前記本体の突出部の端部に設置されて突出部を座便器に固定する固定部材と、洗浄部として作用する前記本体の中央突出部の下側に設置されて水を噴射するメインビデと、腸内部または膣内部のうちの１つを洗浄することができる少なくとも１つ以上の内部ビデと、前記本体の突出部に設置されて前記内部ビデの位置を調節し、前記内部ビデに水を供給する位置調節部材とを含む。
【００２５】
前記位置調節部材は、一端が前記突出部の上側に突出し、他端は前記内部ビデに連結され、内部ビデと連通される導水管路が内部に形成されている複数回屈曲した形態のハンドルと、前記本体の突出部に形成されて前記ハンドルの移動をガイドするガイド部とを含み、前記ガイド部は、前記本体の突出部に座便器の前後方向に形成されたガイド溝と、前記ガイド溝の内部で前後移動し、前記ハンドルが貫通するスロットホールを有するガイドブロックで構成される。
【００２６】
また、本発明の座便器用ビデによれば、前記内部ビデは、一定距離離隔された第１ビデと第２ビデとで構成され、前記ハンドルに形成される導水管路もまた２重に形成され、１つは第１ビデに連通され、もう１つは第２ビデに連通されるようにする。
【００２７】
ここで、前記ガイドブロックは、前記内部ビデに水が供給されることによって動作するシリンダ部材により前記ガイド溝の内部で前後移動するようにすることもできる。
【００２８】
また、本発明の座便器用ビデによれば、一側にコントロール部を有して座便器の後方側に設置される本体と、洗浄部として作用する前記本体の中央突出部の下側に設置されて水を噴射するメインビデと、腸内部または膣内部のうち１つを洗浄することができる少なくとも１つ以上の内部ビデと、前記本体に沿って左右移動し、内部に導水路を有するハンドル部と、前記ハンドル部と前記内部ビデとを連通させる送水管と、前記本体に設置されて前記ハンドル部の移動をガイドするガイド部材とを含む。
【００２９】
前記ハンドル部は、前記本体に沿って直線移動する直線移動部と、前記直線移動部に結合されて所定の範囲内で回動し、前記送水管が連結される回動部と、前記直線移動部と回動部との間に設置されて両者間を連通させる連結部と、前記直線移動部の先端を介在して前記連結部の上端に結合されるガイドキャップとを含む。
【００３０】
前記ガイド部材は、前記ガイドキャップが結合されて前記直線移動部の直線移動をガイドするガイドブロックと、前記ガイドブロック及び前記回動部が内部に位置するように前記本体に設置されて回動部が一定範囲内でのみ回動するように制限する第１ストッパーと、前記第１ストッパーに比べて本体の中央側に偏った位置に設置され、前記第１ストッパーより大きく形成される第２ストッパーとで構成されている。
【００３１】
ここで、前記内部ビデは、前記メインビデの側面に位置する第１ビデと、これと対向するように位置する第２ビデとで構成され、第１ビデと第２ビデに選択的に水が供給されるようにし、前記第１ビデまたは第２ビデに水が供給されるとき、前記ハンドル部をそれぞれ前後移動させるシリンダ部材をさらに備えてもよい。
【００３２】
また、本発明の座便器用ビデによれば、一側にコントロール部を有して座便器の後方側に設置されて座便器の側部に沿って前方にある程度突出する２つの突出部を有する本体と、前記本体の突出部端部に設置されて突出部を座便器に固定する固定部材と、洗浄部として作用する前記本体の中央突出部の下側に設置されて水を噴射するメインビデと、腸内部または膣内部のうち１つを洗浄することができる少なくとも１つ以上の内部ビデと、前記内部ビデの位置及び取付け角度を調節する位置調節部材とを含む。
【００３３】
前記位置調節部材は、座便器を横切るように前記本体の突出部に設置され、内部に導水路が形成されたハンドルと、前記突出部にそれぞれ形成されたガイド溝に沿って前後移動し、前記ハンドルが貫通する１対のガイドブロックとを含み、前記位置調節部材は、水の供給状態によって前記ガイドブロックを前後移動させる１対のシリンダ部材を備える。
前記シリンダ部材は、前記本体の突出部後方に設置されるシリンダと、前記シリンダ内部に位置し、先端が前記ガイドブロックに結合されるピストンと、前記ピストンに外挿されて水の供給が遮断されると前記ピストンを後退させて前記ガイドブロックを初期位置に復帰させるスプリングと、前記シリンダの後方側に結合され、入水口及び出水口を有して前記シリンダの後方側にねじ結合されるシリンダキャップとを含む。
【００３４】
前記シリンダキャップは導水管で相互連結され、前記導水管が連結されていない入水口及び出水口には逆水防止部が形成され、前記逆水防止部は、前記シリンダキャップの入水口及び出水口にねじ結合され、中央に孔が形成された支持部材と、前記支持部材に形成された孔を塞いで水の流れを遮断し、外径が前記入水口及び出水口より小さく形成される遮断板と、前記遮断板に設けられて前記支持部材に形成されたガイドホールに挿入され、前記支持部材から離脱しないように端部が折曲形状を有するガイドバー、前記支持部材と前記遮断板との間に位置するスプリングを含む。
【００３５】
ここで、前記ハンドルは、前記内部ビデが座便器の上端に比べてある程度下側に位置するように折曲形成され、前記ガイドブロックを貫通して左右に移動できるように両端部分に所定の長さの直線部を有することが好ましい。
【００３６】
また、前記内部ビデは、前記メインビデを中心に相互対称になるように一定距離離隔されて設置される第１ビデと第２ビデとで構成され、前記ハンドルに形成される導水路もまた２重に形成され、１つは第１ビデに連通され、もう１つは第２ビデに連通されるようにすることができる。
【００３７】
また、前記第１ビデと第２ビデとの間にメインビデが設置され、前記ハンドルには導水路が３重に形成され、それぞれメインビデと第１ビデ及び第２ビデに連通されるようにし、座便器の前方側に位置して固定部材により固定され、連結ホースを通じて供給された水を噴射する前方ビデをさらに含んでもよい。
【００３８】
ここで、前記メインビデ及び前記前方ビデは、水が噴射されるノズルと、内側にガイド溝が形成されるシリンダと、前記ノズルに連通されるように結合されて前記シリンダの内部で前後移動し、前記ガイド溝に挿入される突出部を有するピストンと、前記ピストンの外周に結合されて前記ピストンを初期位置に復帰させるスプリングと、入水口を有して前記シリンダに結合されるシリンダキャップとを含む。
【００３９】
本発明の前記及びその他の目的、特徴ならびにその他の利点は、添付図面を参照する以後の詳細な説明により明らかになる。なお、本明細書及び請求の範囲における用語及び単語は、発明者がこの発明を最適の方法で説明するために用語の概念を適切に定義できるという原則に基づいて本発明の技術的思想に符合する意味と概念として解析しなければならない。
【発明の効果】
【００４０】
以上のように本発明の座便器用ビデによれば、フィルター及び殺菌を通じて浄化された水を内部ビデ（３０、４０）を利用して腸または膣内部に噴射して内部洗浄が可能であるので、女性の清潔な使用が可能であると同時に使用便利性が得られるという効果がある。
また、本発明の座便器用ビデによれば、出水調節部１４を通じて複数のビデに水を供給するが、使用されない出水管１６を利用して外部装置を使用することができるので使用効率が向上するという効果がある。
【００４１】
また、本発明の座便器用ビデによれば、内部ビデ（３０、４０）の抗菌シリコンホース（３２、４２）を腸または膣内部に挿入できるので内部洗浄が容易になる効果があり、振動型内部ビデ３０’を使用する場合、非正常に結合されている水であってもこの結合が正常に変わり、人体により有益な効果をもたらす。
【００４２】
また、本発明の座便器用ビデによれば、多様な形態の位置調節部材を利用して内部ビデ（３０、４０）の位置及び取付け角度を調節することができるので、使用者の便利性を向上させることができるという効果がある。
【発明を実施するための最良の形態】
【００４３】
本発明による座便器用ビデの好ましい実施形態を以下に添付の図を参照し詳しく説明する。
図１は、本発明による座便器用ビデを示す構成図。図２は、本発明の要部構成である浄水部の外観斜視図。図３は、図２に示されている浄水部の断面図。図４は、本発明の要部構成である出水調節部の分解斜視図。図５は、出水調節部の他の例を示す分解斜視図である。
【００４４】
本発明による座便器用ビデは、一側にコントロール部Ｃを有して座便器の後方側に設置される本体１０と、洗浄部として作用する前記本体１０の中央突出部１１の下側に設置されて水を噴射するメインビデ１５と、腸内部または膣内部のうち１つを洗浄するために前記本体１０に設置される少なくとも１つ以上の内部ビデ（３０、４０）と、前記メインビデ１５または内部ビデ（３０、４０）を通じて吐出される水を浄化する浄水部２０と、前記コントロール部Ｃに設置されて前記メインビデ１５あるいは内部ビデ（３０、４０）に水を選択的に供給する出水調節部１４とを含んで構成されている。
【００４５】
ここで、前記浄水部２０は、前記コントロール部Ｃの温度調節部１２と水圧調節部１３との間に位置し、前記温度調節部１２から流入する水を１次フィルタリングするフィルター２１ａ、及び前記フィルター２１ａを取り囲むように設置されてフィルタリングした水の汚染物質を吸着する活性炭フィルター２１ｂからなるフィルター部２１と、前記フィルター部２１の上側に設置され、殺菌機２２で殺菌した後、前記水圧調節部１３に水を流出させる殺菌部２２とで構成される。
【００４６】
また、前記出水調節部１４は、内部が複数の区域に分けられ、各区域ごとに別途の出水口１４ｊを有する本体１４ａと、前記本体１４ａの上側でパッキング１４ｅを介在して前記本体１４ａに結合され、各区域に対応する孔が複数個形成される分配板１４ｄと、前記分配板１４ｄの上側に位置して回転し、前記分配板１４ｄの孔に連通される孔が形成される回転板１４ｇと、入水口を有して前記本体１４ａにねじ結合されるカバー１４ｂと、前記カバー１４ｂの上端に形成される孔を貫通するように設置されている前記連結部材１４ｆ、上端は操作ノブ１４ｃに結合され、下端は前記回転板１４ｇに結合される連結部材１４ｆと、前記連結部材１４ｆの下側に嵌入されて前記回転板１４ｇを前記分配板１４ｄに密着させるスプリング１４ｈと、前記連結部材１４ｆに設置されて前記スプリング１４ｈを支持するスプリングシート１４ｉとを含む。
【００４７】
前記本体１０は、前記出水調節部１４の出水口１４ｊに連通される出水管１６を複数個有し、前記出水口１４ｊ及び出水管１６の数は実際のビデ数より多く形成され、使用されない出水管１６は出水管キャップ１７で閉めるようにする。
【００４８】
すなわち、図４のように、本体１４ａの内部を４つの区域に形成してもよく、図５のように、本体１４ａの内部を５つの区域に形成してもよい。
【００４９】
また、前記内部ビデ（３０、４０）は必要に応じて該位置を調節することができる位置調節部材（５０、６０）を有し、前記位置調節部材（５０、６０）は、前記内部ビデ（３０、４０）を前記本体１０の下部に隠したり、外部に突出させることができ、さらに、前記内部ビデ（３０、４０）を前後移動させることができる。さらに、前記内部ビデ（３０、４０）は、前記位置調節部材（５０、６０）の先端に回動可能に設置される。
【００５０】
上記のように構成された本発明の座便器用ビデは、浄水部により浄化される水をメインビデ及び内部ビデを通じて噴射してビデ機能及び内部洗浄機能を行うようになる。
【００５１】
外部から供給された水は、温度調節部１２で温度が調節された後、浄水部２０を通過しながら浄化される。すなわち、フィルター２１ａと活性炭フィルター２１ｂを通過しながらフィルタリングされた水が殺菌機２２により殺菌されるので、浄化が完了した水は水圧調節部１３で水圧が調節された後、出水調節部１４を通過するとき出水方向が決定される。前記出水調節部１４は、操作ノブ１４ｃの回転により回転板１４ｇが回転し、分配板１４ｄの孔と回転板１４ｇの孔が一致したとき、１つの出水口１４ｊを通じて水が排出される。
【００５２】
前記出水口１４ｊを通じて排出された水は出水口１４ｊに連結されたメインビデ１５または内部ビデ（３０、４０）を通じて噴出され、本体１０の出水管１６を通じてシャワー装置Ｓなどの外部装置に供給される。前記本体１０は、使用者の後方下側から水を噴射して肛門などを洗浄し、前記内部ビデ（３０、４０）は、使用者の腸または膣内部に挿入される抗菌シリコンホース（３２、４２）を利用して内部洗浄を行う。このような構成は下記のすべての実施例に適用される。
【００５３】
このとき、前記内部ビデ（３０、４０）は、普段は本体１０の下部に位置し、使用時のみ座便器の中央側に移動する。このために本体１０に設置された位置調節部材（５０、６０）は、内部ビデ（３０、４０）を回転させたり前後移動させることができるように構成されている。また、前記内部ビデ（３０，４０）は、前記位置調節部材（５０、６０）に対して一定範囲内で回動可能に結合されているので、前記内部ビデ（３０、４０）の取付け角度を調節することもできる。
【００５４】
次に、前記位置調節部材（５０、６０）を詳細に説明する。
【００５５】
図６は、本発明による座便器用ビデの第１実施例を示す斜視図。図７は、第１実施例の要部構成である第１位置調節部材を示す分解斜視図。図８は、本発明による座便器用ビデの第２実施例を示す斜視図。図９は、第２実施例の要部構成である第２位置調節部材を示す分解斜視図である。
【００５６】
本発明の座便器用ビデの第１実施例によれば、前記内部ビデ３０は、前記本体１０から一定距離離隔された位置に１個が設置され、前記本体１０に設置された位置調節部材５０は、前記内部ビデ３０に連結されて内部ビデ３０を前後に移動させたり、一定範囲内で回転できるようにするとともに、前記内部ビデ３０に水が供給されるようにし、前記内部ビデ３０は、前記位置調節部材５０に対して所定範囲内で回動可能に結合される。
【００５７】
また、本発明の座便器用ビデの第２実施例は、上記の第１実施例と同様の構成となっており、内部ビデ及び位置調節部材が２重に設置されている。
【００５８】
すなわち、本発明の座便器用ビデの第２実施例によれば、前記内部ビデは、抗菌シリコンホース３２が腸または膣のうち１つの内部に挿入される第１ビデ３０と、抗菌シリコンホース４２が腸または膣のまた他の１つの内部に挿入される第２ビデ４０と、前記第１ビデ３０の位置調節のための第１位置調節部材５０と、前記第２ビデ４０の位置調節のための第２位置調節部材６０をそれぞれ備える。
【００５９】
前記第１位置調節部材５０は、抗菌シリコンホース３２を有するビデ本体３１が回動可能に結合され、内部に導水管５２を有する支持部材５１と、前記本体１０に回転可能に設置されるシリンダ５３と、前記シリンダ５３の内部に位置して水圧により前後移動し、前記支持部材５１に結合されるピストン部材５４と、前記ピストン部材５４に挿入されて水圧が弱くなると、前記ピストン部材５４を初期位置に復帰させるスプリング部材５５と、前記シリンダ５３の後方に結合されて水流入口を有するシリンダキャップ５６とを含む。
【００６０】
前記第２位置調節部材６０は、前記第２ビデ４０が第１ビデ３０に比べて前方に位置するように比べて多段構造を有し、抗菌シリコンホース４２を有するビデ本体４１が回動可能に結合され、内部に導水管６２を有する支持部材６１と、前記本体１０に回転可能に設置されるシリンダ６３と、前記シリンダ６３の内部に位置して水圧により前後移動するピストンシリンダ６４と、前記ピストンシリンダ６４の内部に位置して水圧により前後移動し、前記支持部材６１に結合されるピストン部材６５と、前記ピストンシリンダ６４及びピストン部材６５にそれぞれ挿入されて水圧が弱くなると、前記ピストンシリンダ６４及びピストン部材６５を初期位置に復帰させるスプリング部材６６と、前記シリンダ６３の後方に結合されて水流入口を有するシリンダキャップ６７とを含む。
【００６１】
上記のように構成されている本発明の座便器用ビデの第１実施例及び第２実施例によれば、内部ビデ（３０、４０）に水が供給されるとき、内部ビデ（３０、４０）を座便器の中央部分に位置させ、必要な角度に内部ビデ（３０、４０）の位置を変化させることができる。
【００６２】
出水調節部１４から内部ビデ（３０、４０）に水が供給されると、内部ビデ（３０、４０）が前進し、この状態で内部ビデ（３０、４０）を適切な位置まで回転させることができるので、内部ビデ（３０、４０）を座便器の中央部分に位置させることができる。また、位置調節部材（５０、６０）に対して一定角度で内部ビデ（３０、４０）を回動させることができるので、望む角度に内部ビデ（３０、４０）の位置を変えることができる。
【００６３】
図面の後方側に位置する第１ビデ３０は、第１位置調節部材５０により前後移動したり回転することができる。第１ビデ３０に水が供給されるためにはまず、シリンダ５３の内部に水が供給されてピストン部材５４を前進させ、前記ピストン部材５４の前進により第１ビデ３０もまた前進して座便器の中央側に移動する。このとき、前記シリンダ５３が本体１０に回転可能に設置されていて前記第１ビデ３０を回転させることができ、前記第１ビデ３０の位置が決められた状態で支持部材５１に対して第１ビデ３０を所定角度で回動させて第１ビデ３０の取付け角度を決定することができる。
【００６４】
このとき、前記シリンダ５３に供給された水は、ピストン部材５４の内部及び前記支持部材５１に具備される導水管５２を通じて第１ビデ３０の内部に供給され、外部に引き出されて腸または膣内部に挿入された第１ビデ３０の抗菌シリコンホース３２を通じて腸または膣内部に噴出されて内部洗浄を行う。
【００６５】
また、図面の前方側に位置する第２ビデ４０は、第２位置調節部材６０により前後移動したり回転することができる。第２ビデ４０に水が供給されるためにはまず、シリンダ６３の内部に水が供給されてピストンシリンダ６４とピストン部材６５を順次に前進させ、それに応じて第２ビデ４０もまた前進して座便器の中央側に移動する。
【００６６】
このとき、前記シリンダ６３が本体１０に回転可能に設置されていて前記第２ビデ４０を回転させることができ、前記第２ビデ４０の位置が決められた状態で支持部材に対して第２部材４０を所定角度で回動させて第２ビデ４０の取付け角度を決定することができる。また、前記第１ビデ３０と第２ビデ４０は前記メインビデ１５を中心に対向し、この回転方向は互いに反対方向になる。
【００６７】
勿論、前記第１ビデ３０または第２ビデ４０に対する水供給が中断される場合には、前記ピストン部材（５４、６５）またはピストンシリンダ６４に設置されたスプリング部材（５５、６６）により第１ビデ３０と第２ビデ４０が初期位置に復帰され、第１ビデ３０と第２ビデ４０を回転させて本体１０の下部に隠すことができるので、普段は内部ビデ（３０、４０）が露出しない状態で通常の座便器としての使用が可能である。
【００６８】
よって、使用者は自分が望む位置に第１ビデ３０または第２ビデ４０を位置させた状態で望む角度に調節可能であり、これは使用者の便利性を向上させるので重要である。
【００６９】
ここで、前記内部ビデ（３０、４０）の構造は次のような３種類がある。
【００７０】
図１０は、本発明の要部構成である内部ビデの第１例を示す分解斜視図。図１１は、内部ビデの第２例を示す分解斜視図。図１２は、内部ビデの第３例を示す分解斜視図である。
【００７１】
本発明の座便器用ビデに使用される内部ビデ（３０、４０）の第１例は、前記本体１０から一定距離離隔されるように位置し、前記位置調節部材（５０、６０）を通じて水の供給を受けるビデ本体（３１、４１）と、前記ビデ本体（３１、４１）から引き出されて腸または膣内部に挿入される抗菌シリコンホース（３２、４２）と、前記抗菌シリコンホース（３２、４２）の外周に結合されたシーリング部材（３９、４９）を介在して前記ビデ本体（３１、４１）の端に結合され、抗菌シリコンホース（３２、４２）を支持する出水口キャップ（３３、４３）と、前記抗菌シリコンホース（３２、４２）の端に結合されて前記出水口キャップ（３３、４３）の外部に抗菌シリコンホース（３２、４２）が脱離しないようにする固定部材（３４、４４）と、前記抗菌シリコンホース（３２、４２）の外側で前記固定部材（３４、４４）に結合されて固定部材（３４、４４）を支持する固定リング（３７、４７）とを含む。
【００７２】
前記内部ビデ（３０、４０）は、前記ビデ本体（３１、４１）の先端に結合され、前記抗菌シリコンホース（３２、４２）が外部に露出しないようにするビデキャップ（３５、４５）をさらに備えてもよい。
【００７３】
上記のように構成される本発明の内部ビデは、水の供給によって抗菌シリコンホースが引き出されて腸または膣内部に挿入されることができる。
【００７４】
前記抗菌シリコンホース（３２、４２）が引き出されるとき、この下端の固定部材（３４、４４）と出水口キャップ（３３、４３）により外部に脱離しないようにし、前記ビデ本体（３１、４１）にビデキャップ（３５、４５）が結合されて前記抗菌シリコンホース（３２、４２）が外部に露出しないようにすることができる。
【００７５】
また、本発明に適用された内部ビデ（３０、４０）の第２例は、上記の第１例とほぼ同様であり、前記抗菌シリコンホース（３２、４２）の外側にスプリング（３６、４６）が挿入されている。
【００７６】
したがって、前記抗菌シリコンホース（３２、４２）外側のスプリング（３６、４６）が前記固定部材（３４、４４）により支持され、水が供給されない場合は、前記抗菌シリコンホース（３２、４２）を初期位置に復帰させる。
【００７７】
また、内部ビデは、第３例のように振動型に構成することも可能であり、振動型の内部ビデ３０’は、前記本体１０から一定距離離隔されるように位置し、前記位置調節部材５０を通じて水の供給を受けるビデ本体３１’と、前記本体の下側にねじ結合され、内部に振動器３７”を有する振動器キャップ３７’と、前記振動器３７”の下部に設置されて振動器３７”の振動を吸収するスプリング３８”と、前記ビデ本体３１’から引き出された状態で設置されて腸または膣内部に挿入され、前記振動器３７”の振動を利用して水に波動を発生させた後、水を噴射する振動挿入装置３８と、前記振動挿入装置３８の外側で挿入され、前記ビデ本体３１’に結合されて振動挿入装置３８を支持する出水口キャップ３３’と、前記振動器３７”の上端に設置されて前記振動挿入装置３８に振動を伝達する連結部材３９’とを含む。
【００７８】
ここで、前記振動挿入装置３８は、前記ビデ本体３１’から引き出された状態で設置され、端部に突出部３２”を有する抗菌シリコンホース３２’と、前記抗菌シリコンホース３２’内部に位置し、端部が前記連結部材３９’に結合されて水に波動を発生させる振動バー３８’と、前記ビデ本体３１’に結合されて抗菌シリコンホース３２’の突出部３２”を利用して前記抗菌シリコンホース３２’がビデ本体３１’内部に進入しないようにする支持部材３４’とを含む。
【００７９】
このとき、前記振動挿入装置３８は、前記ビデ本体３１’から着脱可能に設置され、前記ビデ本体３１’から前記振動挿入装置３８が脱離されたとき、前記ビデ本体３１’に結合されるビデキャップ３５’をさらに備える。
【００８０】
上記のように構成される振動型の内部ビデは、振動器の振動を利用して水に波動を発生させることにより水の結合を初期化して浄水効果を向上させることができる。
【００８１】
振動器３７”で発生した振動が連結部材３９’を通じて振動バー３８’に伝達され、前記振動バー３８’は、抗菌シリコンホース３２’内部で振動して水に波動を発生させる。これにより、汚染などによって非正常に結合されている水分子の結合が正常になる。よって、腸または膣内部に噴射される水の洗浄効果が高まる。
【００８２】
また、本発明による座便器用ビデは、手動または自動で内部ビデ（３０、４０）の位置を決定することができる。
【００８３】
図１３は、本発明による座便器用ビデの第３実施例を示す斜視図。図１４は、第３実施例の要部構成である第１回転手段を示す分解斜視図。図１５は、第４実施例を示す斜視図。図１６は、第４実施例の要部構成である第２回転手段を示す分解斜視図である。
【００８４】
すなわち、本発明による座便器用ビデは、前記内部ビデ（３０、４０）を前記本体１０の下部に隠したり外部に露出させることができる回転手段（８０、９０）を含んでもよい。
【００８５】
前記回転手段（８０、９０）は、使用者がハンドル（８１、９１）を利用して直接内部ビデ（３０、４０）の位置を調節する手動方式と、水の供給によって内部ビデ（３０、４０）の位置を自動的に調節できる自動方式、及び前記手動方式と自動方式を混用した混用方式のうちの１つの方式が使用され、本実施例では混入構造を説明する。
【００８６】
前記内部ビデ（３０、４０）は、抗菌シリコンホースが腸または膣内部のうちの１つに挿入される第１ビデ３０と、抗菌シリコンホースが腸または膣内部のうちの他の１つに挿入される第２ビデ４０に分けられ、前記第１ビデ３０を回転させる第２回転手段９０と、前記第２ビデ４０を回転させる第１回転手段８０をそれぞれ含む。
【００８７】
前記第１回転手段８０は、抗菌シリコンホースを有する第２ビデ４０に水を供給し、第２ビデ４０にヒンジ固定される導水管路８３と、前記導水管路８３に連通され、ハンドル８１に連結されて前後移動する分配管８２と、前記本体１０に固定されたシリンダ８４の内部に位置し、導水パイプ８６を通じて供給された分配管８２の水により前後移動しながら分配管８２を移動させるピストン部材８５を含む。
【００８８】
前記第２回転手段９０は、抗菌シリコンホースを有する第１ビデ３０に水を供給し、第１ビデ３０にヒンジ固定される導水管路９３と、水流入口を有して前記導水管路９３が結合される分配管９２と、シリンダ９４の内部で前後移動するように接続されたピストン部材９５と、ピストン部材９５に連結され前記分配管９２に連通されたピストンキャップ９６と、前記シリンダ９４とハンドル９１を連結するロッド９７とを含む。
【００８９】
このとき、前記ピストン部材（８５、９５）の外周にはスプリング（図示せず）が挿入されており、水が供給されない場合は初期位置に復帰させることが好ましい。
【００９０】
上記のように構成される本発明の座便器用ビデは、ハンドルを操作して内部ビデの位置を決定することができ、水の供給によって動作する自動動作で決定することもできる。
【００９１】
ハンドル（８１、９１）を前後に移動させると、本体１０にヒンジ固定された導水管路（８３、９３）により導水管路（８３、９３）の端部に結合されている第１ビデ３０または第２ビデ４０が回転して座便器の中央部分に移動する。このとき、前記ハンドル（８１、９１）を動かさなくても分配管（８２、９２）を通じてシリンダ（８４、９４）の内部に供給された水によりピストン部材（８５、９５）が前進して第１ビデ３０または第２ビデ４０を回転させるようになり、水の供給が遮断される場合には、スプリングによりピストン部材（８５、９５）が後退し、第１ビデ３０または第２ビデ４０が初期位置に復帰する。
【００９２】
また、本発明の座便器用ビデは、内部ビデを動かす方式によって様々な形態がある。
【００９３】
図１７は、本発明による座便器用ビデの第５実施例を示す斜視図。図１８は、第６実施例を示す斜視図。図１９は、第６実施例の要部構成であるハンドル部を示す分解斜視図である。
【００９４】
本発明による座便器用ビデは、便器の後方に設置され一側にコントロール部Ｃを有する本体１０と、座便器の後方側に設置されてコントロール部Ｃと対向する位置で座便器の前方にある程度突出した突出部１８を有する本体１０と、前記本体１０の突出部１８の端部に設置されて突出部１８を座便器に固定する固定部材１９と、洗浄部として作用する前記本体１０の中央突出部１１の下側に設置されて水を噴射するメインビデ１５と、腸内部または膣内部のうち１つを洗浄することができる前記本体１０にとりつけられた少なくとも１つ以上の内部ビデ（１００、１０５）と、前記本体１０の突出部１８に設置されて前記内部ビデ（１００、１０５）の位置を調節し、前記内部ビデ（１００、１０５）に水を供給する位置調節部材１１０とを含む。
【００９５】
前記位置調節部材１１０は、一端が前記突出部１８の上側に突出し、他端は前記内部ビデ１００に連結されるハンドルと、導水管路１１７がハンドル１１１内部に形成される複数回折曲した形状を有するハンドル１１１と、前記本体１０の突出部１８に形成されて前記ハンドル１１１の移動をガイドするガイド部とを含む。
【００９６】
前記ガイド部は、前記本体１０の突出部１８に座便器の前後方向に形成されたガイド溝１１２と、前記ガイド溝１１２の内部で前後移動し、前記ハンドル１１１が貫通するスロットホール１１３を有するガイドブロック１１４とで構成されている。
【００９７】
ここで、前記内部ビデは、一定距離離隔される第１ビデ１００と第２ビデ１０５とで構成され、前記ハンドル１１１に形成される導水管１１７もまた２重に形成され、１つは第１ビデ１００に連通され、もう１つは第２ビデ１０５に連通される。このとき、前記第１ビデ１００は、前記ハンドル１１１にティー（Ｔｅｅ）１１５で連結され、前記第２ビデ１０５は前記ティー１１５にエルボー（Ｅｌｂｏｗ）１１６で連結される。
【００９８】
上記のように構成されている本発明の座便器用ビデは、ハンドルの操作を通じて内部ビデを前後方向と左右方向に移動させると同時に一定角度で回転させることができる。
【００９９】
内部ビデ（１００、１０５）は、本体１０の下部に位置するが、ハンドル１１１を利用してガイドブロック１１３をガイド溝１１２に沿って移動させることにより座便器の中央部分に移動させることができる。また、前記ハンドル１１１をガイドブロック１１３のスロットホール１１４に沿って左右に移動させることにより内部ビデ（１００、１０５）の位置を決定する。さらに、前記ハンドル１１１を握って前記ガイドブロック１１３のスロットホール１１４を中心に回動させることにより、内部ビデ（１００、１０５）の取付け角度を一定範囲内で調整する。このとき、ハンドルの内部にある導水管１１７を通じて第１ビデ１００または第２ビデ１０５に水を供給し、腸または膣内部を洗浄することができる。
【０１００】
したがって、内部洗浄の可能な内部ビデ（１００、１０５）の位置及び取付け角度を使用者が直接調節することができる。これは使用者の便利性を向上させる。また、上記の実施例と同様に、前記第１ビデ１００または第２ビデ１０５に水が供給されるとき、前記ガイドブロック１１３を前記ガイド溝１１２の内部で前後移動させるシリンダ部材（図示せず）をさらに設置してもよい。よって、前記ハンドル１１１を利用してガイドブロック１１３を移動させなくても水の供給により自動的にガイドブロック１１３が移動し、第１ビデ１００または第２ビデ１０５を座便器の中央側に移動させることができる。簡潔に述べると、前記位置調節部材１１０に３タイプのうち１つを採用することができる。このように、前記ハンドル１１１のみを利用する手動方式、シリンダ部材のみを利用する自動方式、及び２つの方式を混合した混用方式をすべて使用することができる。
【０１０１】
図２０は、本発明の第７実施例を示す斜視図。図２１は、第８実施例を示す斜視図である。
【０１０２】
本発明による座便器用ビデによれば、一側にコントロール部Ｃを有し、座便器の後方側に設置される本体１０と、洗浄部として作用する前記本体１０の中央突出部１１の下側に設置されて水を噴射するメインビデ１５と、腸内部または膣内部のうちの１つを洗浄することができる少なくとも１つ以上の内部ビデ（１００、１０５）と、前記本体１０に沿って左右移動し、内部に導水路が形成されたハンドル部１２０と、前記ハンドル部１２０と前記内部ビデ（１００、１０５）を連通する送水管１２５と、前記本体１０に設置されて前記ハンドル部１２０の移動をガイドするガイド部材とを含む。
【０１０３】
前記ハンドル部１２０は、前記本体１０に沿って直線移動する直線移動部１２１と、所定範囲内で回動するために前記直線移動部１２１に結合された回動部１２２と、回動部１２２に結合された送水管１２５と、前記直線移動部１２１と回動部１２２との間に設置され、両者間を連通する連結部１２３と、前記直線移動部１２１の先端を介在して前記連結部１２３の上端に結合されるガイドキャップ１２４とを含む。
【０１０４】
前記ガイド部材は、前記ガイドキャップ１２４が結合されて前記直線移動部１２１の直線移動をガイドするガイドブロック１２６と、前記ガイドブロック１２６及び前記回動部１２２が内部に位置するように前記本体１０に設置されて回動部１２２が一定範囲内でのみ回動するように制限する第１ストッパー１２７と、前記第１ストッパー１２７に比べて本体１０の中央側に偏る位置に設置され、前記第１ストッパー１２７よりさらに大きく形成される第２ストッパー１２８とで構成される。
【０１０５】
上記のように構成されている本発明の座便器用ビデは、ハンドルを利用して内部ビデを本体に沿って直線移動させた後、所定角度で回転させることで内部ビデの位置を決定する。
【０１０６】
すなわち、ハンドル部１２０を本体１０に沿って移動させると、ガイドブロック１２６に結合されたガイドキャップ１２４により直線移動するようになり、この後内部ビデ（１００、１０５）を取って回転させると、ハンドル部１２０の連結部１２３を中心に回動部１２２が回転する。このとき、ガイドブロック１２６は前記回動部１２２とともに回転し、第１ストッパー１２７及び第２ストッパー１２８により前記回動部１２２の過度な回転が制限される。
【０１０７】
このように、内部ビデ（１００、１０５）の位置を直接設定することができるので、使用者の便利性を向上させることができる。また、前記第１ビデ１００または第２ビデ１０５に水が供給されるとき、前記ハンドル部１２０をそれぞれ前後移動させるシリンダ部材（図示せず）をさらに設置してもよい。よって、前記ハンドル部１２０を手動で直接動作させなくてもシリンダ部材により自動的にハンドル部１２０を前後移動させることができる。結果として、前記ハンドル部１２０を直接動作させる手動方式と、シリンダ部材のみを利用する自動方式、及びこの２の方式を混合した混用方式をすべて使用することができる。
【０１０８】
また、前記内部ビデは、前記メインビデ１５の側面に位置する第１ビデ１００と、これと対向するように位置する第２ビデ１０５とで構成され、第１ビデ１００と第２ビデ１０５に選択的に水を供給することができる。このとき、前記第１ビデ１００と第２ビデ１０５を動かすハンドル部１２０の構成及び作用はほぼ同一であり、距離差によって直線移動部１２１の長さ及び形態が変わる。
【０１０９】
図２２は、本発明の第９実施例を示す斜視図。図２３は、第１０実施例を示す斜視図。図２４は、第１０実施例の要部構成であるシリンダ部材を示す分解斜視図。図２５は、本発明による座便器用ビデの第１１実施例を示す斜視図。図２６は、第１１実施例の要部構成であるメインビデ及び前方ビデの分解斜視図である。
【０１１０】
本発明による座便器用ビデの第９実施例によれば、一側にコントロール部Ｃを有して座便器の後方側に設置され、座便器の側部に沿って前方にある程度突出する２個の突出部１８を有する本体１０と、前記本体１０の突出部１８の端部に設置されて突出部１８を座便器に固定する固定部材１９と、洗浄部として作用する前記本体１０の中央突出部１１の下側に設置されて水を噴射するメインビデ１５と、腸内部または膣内部のうちの１つを洗浄することができる前記本体に設置された少なくとも１つ以上の内部ビデ１００と、前記内部ビデ１００の位置及び取付け角度を調節する位置調節部材１３０とを含む。
【０１１１】
前記位置調節部材１３０は、座便器を横切るように前記本体１０の突出部１８に設置されて前記ハンドル１３１内部に導水路が形成されたハンドル１３１と、前記突出部１８にそれぞれ形成されたガイド溝１３２に沿って前後移動できるガイドブロック１３３と、ガイドブロック１３３が貫通するように取り付けられた前記ハンドル１３１水供給の有無によって前記ガイドブロック１３３を前後移動させる１対のシリンダ部材とを含む。
【０１１２】
前記シリンダ部材は、前記本体１０の突出部１８の後方に設置されるシリンダ１３４と、前記シリンダ１３４の内部に位置し、先端が前記ガイドブロック１３３に結合されるピストン１３５と、前記ピストン１３５に外挿されて水の供給が遮断されると、前記ピストン１３５を後退させて前記ガイドブロック１３３を初期位置に復帰させるスプリング１３６と、前記シリンダ１３４の後方側に結合され、入水口及び出水口を有して前記シリンダ１３４の後方側にねじ結合されるシリンダキャップ１３７とを含む。
【０１１３】
このとき、前記シリンダキャップ１３７は、導水管１３８で互いに連結され、入水口及び出水口には逆水防止部１４０が形成される。前記逆水防止部１４０は、前記シリンダキャップ１３７の入水口及び出水口にねじ結合され、支持部材１４１の中央に孔が形成される支持部材１４１と、前記支持部材１４１に形成された孔を塞いで水の流れを遮断し、外径が前記入水口及び出水口より小さく形成される遮断板１４２と、前記遮断板１４２に形成され、前記支持部材１４１に形成されたガイドホール１４１’に挿入され、前記支持部材１４１から脱離しないように端部が折曲形状を有するガイドバー１４４と、前記支持部材１４１と前記遮断板１４２との間に位置するスプリング１４３とを含む。
【０１１４】
また、前記ハンドル１３１は、前記内部ビデ１００が座便器の上端に比べてある程度下側に位置するように折曲形成され、前記ガイドブロック１３３を貫通して左右に移動することができるように両端部に所定長さの直線部を有する。
【０１１５】
上記のように構成されている本発明の座便器用ビデは、ハンドルを利用して内部ビデを前後左右に移動させることができると同時に、内部ビデを一定角度で回転させて取付け角度を調節することができる。
【０１１６】
ハンドル１３１を握ってガイドブロック１３３を前後移動させると、内部ビデ１００を本体１０の下部または座便器の中央部分に位置させることができる。また、ハンドル１３１を回転させて内部ビデ１００の取付け角度を調節することができ、前記ハンドル１３１を引いたり押すことで、内部ビデ１００を左右に移動させることができる。このとき、前記内部ビデ１００の左右移動量は、前記ハンドル１３１の直線部の長さ及びガイドブロック１３３の大きさにより制限される。
【０１１７】
また、前記ハンドル１３１を利用してガイドブロック１３３を前後移動させる代りにシリンダ部材に供給される水の圧力を利用してガイドブロック１３３を移動させることで内部ビデ１００の位置を設定することも可能である。
【０１１８】
シリンダ１３４内部に流入した水によりピストン１３５が前進し、ガイドブロック１３３を前進させることができ、水の供給が遮断されると、スプリング１３６によりピストン１３５が後退するのでガイドブロック１３３もまた後退し、内部ビデ１００が本体１０の下部に位置する。このとき、前記シリンダ１３４内部の水は、スプリング１３６の弾性力によりゆっくり抜けるようになり、逆水防止部１４０により出水調節部１４０などに逆流しない。
【０１１９】
また、本体１０に形成された複数の出水管１６は、使用されない場合には、出水管キャップ１７で閉められ、シャワー装置Ｓなどの外部接続に水を供給したりもする。これは、本実施例だけでなくすべての実施例に適用される。
【０１２０】
本発明の第１０実施例は、第４実施例とほぼ同様であり、前記内部ビデ（１００、１０５）は、前記メインビデ１５を中心に相互対称にするように一定距離離隔されて設置される第１ビデ１００と第２ビデ１０５とで構成され、導水路もまた２重に形成され、１つは第１ビデ１００に連通され、もう１つは第２ビデ１０５に連通される
【０１２１】
上記の本発明の第１０実施例は、単にビデの数が増加しただけで第９実施例と同様であるので詳細な説明は省略する。
【０１２２】
本発明の第１１実施例は、第９実施例及び第１０実施例とほぼ同様であるが、メインビデが本体に設置される代わりにハンドルに設けられた点が異なる。すなわち、前記第１ビデ１００と第２ビデ１０５との間にメインビデ１０６が設置され、前記ハンドル１３１には導水路が３重に形成されており、それぞれメインビデ１０６と第１ビデ１００及び第２ビデ１０５に連通される。
【０１２３】
このとき、座便器の前方側に位置して固定部材１０７により固定され、連結ホース１０８を通じて供給された水を噴射する前方ビデ１０６をさらに含んでもよい。
【０１２４】
ここで、前記メインビデ１０６及び前記前方ビデ１０６は、水が噴射されるノズル１０６ａと、内側にガイド溝を有するシリンダ１０６ｂと、前記ノズル１０６ａに連通されるように結合されて、前記シリンダ１０６ｂの内部で前後移動し、前記ガイド溝に挿入される突出部１０６ｆを有するピストン１０６ｃと、前記ピストン１０６ｃの外周に結合されて前記ピストン１０６ｃを初期位置に復帰させるスプリング１０６ｄと、入水口を有して前記シリンダ１０６ｂに結合されるシリンダキャップ１０６ｅとを含む。
【０１２５】
上記のように構成されている本発明の第１１実施例によれば、第９実施例とほぼ等しい効果が得られると同時に、メインビデ１０６の位置を自由に調節することができ、前方ビデ１０６を利用して女性使用者の使用効率を向上させることができる。
【０１２６】
前記メインビデ１０６または前方ビデ１０６側に水が供給されると、ハンドル１３１または座便器に固定設置されたシリンダ１０６ｂ内部のピストン１０６ｃが前進し、ノズル１０６ａを座便器の下方向に押し出す。よって、ノズル１０６ａは初期位置より下側に水を噴射してビデ機能を行うことができるようになる。このとき、前記ピストン１０６ｃがガイド溝に挿入された突出部１０６ｆにより直線移動するので、ノズル１０６ａが回転することは発生しない。
【０１２７】
勿論、水の供給が遮断されると、スプリング１０６ｄによりピストン１０６ｃが後退し、結果として使用しない時間にはメインビデ１０６及び前方ビデ１０６の大きさを小さく維持することができる。
【０１２８】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【産業上の利用可能性】
【０１２９】
本発明は、座便器に取り付けられて肛門洗浄などの機能を行い、腸または膣内部に対する内部洗浄を可能にした座便器用ビデに適用することができる。
【図面の簡単な説明】
【０１３０】
【図１】本発明による座便器用ビデを示す構成図。
【図２】本発明の要部構成である浄水部の外観斜視図。
【図３】本発明の要部構成である浄水部の断面図。
【図４】本発明の要部構成である出水調節部の分解斜視図。
【図５】出水調節部の他の例を示す分解斜視図。
【図６】本発明による座便器用ビデの第１実施例を示す斜視図。
【図７】第１実施例の要部構成である第１位置調節部材を示す分解斜視図。
【図８】本発明による座便器用ビデの第２実施例を示す斜視図。
【図９】第２実施例の要部構成である第２位置調節部材を示す分解斜視図。
【図１０】本発明の要部構成である内部ビデの第１例を示す分解斜視図。
【図１１】本発明の要部構成である内部ビデの第２例を示す分解斜視図。
【図１２】本発明の要部構成である内部ビデの第３例を示す分解斜視図。
【図１３】本発明による座便器用ビデの第３実施例を示す斜視図。
【図１４】第３実施例の要部構成である第１回転手段を示す分解斜視図。
【図１５】本発明による座便器用ビデの第４実施例を示す斜視図。
【図１６】第４実施例の要部構成である第２回転手段を示す分解斜視図。
【図１７】本発明による座便器用ビデの第５実施例を示す斜視図。
【図１８】本発明による座便器用ビデの第６実施例を示す斜視図。
【図１９】第６実施例の要部構成であるハンドル部を示す分解斜視図。
【図２０】本発明による座便器用ビデの第７実施例を示す斜視図。
【図２１】本発明による座便器用ビデの第８実施例を示す斜視図。
【図２２】本発明による座便器用ビデの第９実施例を示す斜視図。
【図２３】本発明による座便器用ビデの第１０実施例を示す斜視図。
【図２４】第１０実施例の要部構成であるシリンダ部材を示す分解斜視図。
【図２５】本発明による座便器用ビデの第１１実施例を示す斜視図。
【図２６】第１１実施例の要部構成であるメインビデ及び前方ビデの分解斜視図。
【図１】
2009500543.tif 000003
【図２】
2009500543.tif 000004
【図３】
2009500543.tif 000005
【図４】
2009500543.tif 000006
【図５】
2009500543.tif 000007
【図６】
2009500543.tif 000008
【図７】
2009500543.tif 000009
【図８】
2009500543.tif 000010
【図９】
2009500543.tif 000011
【図１０】
2009500543.tif 000012
【図１１】
2009500543.tif 000013
【図１２】
2009500543.tif 000014
【図１３】
2009500543.tif 000015
【図１４】
2009500543.tif 000016
【図１５】
2009500543.tif 000017
【図１６】
2009500543.tif 000018
【図１７】
2009500543.tif 000019
【図１８】
2009500543.tif 000020
【図１９】
2009500543.tif 000021
【図２０】
2009500543.tif 000022
【図２１】
2009500543.tif 000023
【図２２】
2009500543.tif 000024
【図２３】
2009500543.tif 000025
【図２４】
2009500543.tif 000026
【図２５】
2009500543.tif 000027
【図２６】
2009500543.tif 000028
【国際調査報告】
2009500543.tif 000029
2009500543.tif 000030